(57)【特許請求の範囲】
【請求項１】
自然光を照明に利用する光ダクト装置内に設置され、光ダクト装置に取り入れた平行光を光ダクト内部で拡散させるための光ダクト用光拡散装置であって、
上記光拡散装置は、光ダクトの長手方向に平行で、光の入射位置に応じて、入射光を異なる方向に反射させる形状の反射面を有する反射材から構成され、
光ダクトの奥行き方向に垂直な平面に現れる上記反射面の断面形状は、曲線、又は、隣接する線の角度が鈍角をなす直線と直線、直線と曲線、もしくは曲線と曲線の組み合わせからなる形状であり、
光ダクトに入射した光を拡散させ、光ダクト内の光の密度をほぼ均一化する
ことを特徴とする光ダクト用光拡散装置。
【発明の詳細な説明】
【０００１】
【発明の属する技術分野】
本発明は光ダクトを介して建築物内部に光を導き建築物内部を照明する光ダクトに使用される光拡散装置に関する。
【０００２】
【従来の技術】
近年、省エネルギーや二酸化炭素の排出削減による環境保護の必要性が注目されており、この要望に答えるための手段の一つとして太陽光を内面に反射率の高い部材で構成したダクトを介して室内に取り込み、照明光源として利用する光ダクト装置が提案されている。
この装置は、エネルギーを電気など他のエネルギーに変換せず、そのまま活用するため、エネルギーの利用効率が高く、省エネルギーや二酸化炭素排出削減に貢献できる。
【０００３】
図１１、図１２は、本発明が適用される光ダクト装置の概念図であり、図１１はビルの南側壁面から光を取り込んでオフィスなどの照明に利用する水平型光ダクト装置、図１２は地下や屋上など採光位置と照明位置の高低差がある場合に光を下方に搬送する部分を持つ垂直型光ダクト装置を示している。また、図１１（ｂ）は水平型ダクト本体の斜視図である。
図１１、図１２において、１は自然光（太陽光）、２は採光口、３は反射材、４は光ダクト、５はビル壁面、６は室内、７はガラスカバー、８は放光口、９は屋上または地上である。光ダクト４は図１１（ｂ）に示すように断面が矩形状で、内面が反射面で構成されている。
図１１，図１２において、太陽光１は、採光口２から直接、あるいは反射材３に反射した後、ダクト４内部に取り込まれ、内面での反射を繰り返しながら照射位置まで運ばれ、放光口８から照射される。
【０００４】
図１３は水平の光ダクト装置に太陽光が入射したときの光路を概念的に示す図である。図１３（ａ）は斜視図、図１３（ｂ）は光ダクト内の光路を同図（ａ）のＡ方向から見た図、図１３（ｃ）は光ダクト内の光路を同図（ａ）のＢ方向から見た図、図１３（ｄ）は光ダクト内の光路を同図（ａ）のＣ方向から見た図である。同図に示すように、光ダクト装置に入射した光は、光ダクトの反射面で反射を繰り返しながら、光ダクトの奥行き方向に進む。
【０００５】
【発明が解決しようとする課題】
光ダクト装置に入射した光は、前記図１３に示したような光路で光ダクト内部を進行する。一方、光ダクトに入射する太陽光は、時間や季節によって照射方向が大きく変化する平行光線である。したがって、平行光線が光ダクト装置に入射すると、図１４に示すように、ダクト内部の光密度に大きな濃淡が生ずる。
これをそのまま放光口８から室内に照射すると、室内位置の照度分布にばらつきを生じたり、光の照射面に濃淡模様を映し出すなどの問題を発生する。
このような問題を解決するには、光を拡散させる手段を光ダクト装置に取り付けることが考えられる。
【０００６】
光を拡散させる手段としては、例えば、図１５に示すように光拡散機能を持ったフィルム１０を光路の途中に挿入して拡散効果を得る方法がある。
しかし、この方法は、強い指向性を持つ太陽光の拡散には充分な効果が得られず、さらに、フィルムやこれを貼るガラスや樹脂を透過する際に２０％以上の大きな光の減衰が起こり装置の効率低下を招く。
本発明は上記した事情に鑑みなされたものであって、その目的とするところは、光の減衰が少なく、光ダクト内に入射した光を効果的に拡散することができる光ダクト用拡散装置を提供することである。
【０００７】
【課題を解決するための手段】
光ダクト装置にダクトの斜め上方から太陽光が入ってくるとき、その光路の途中に光ダクトの奥行き方向に平行で入射光に対して傾けた反射材を置くと、光ダクト内の光路を変えることができる。
以下、説明の便宜上、光ダクトの奥行き方向をＸ軸方向、Ｘ軸を含む水平面上にありＸ軸に直交する方向をＹ軸方向、ＸＹ平面に垂直な方向をＺ軸方向とする。
図１は上記のようにＸ軸に平行でＸＹ平面に対して傾けた反射板１２を置いたときの光路を示す図であり、同図は、ＹＺ平面上を斜めに入射する光が反射板１２で反射したときの光路を示しており、実線が反射板１２を置いたときの光路、点線は反射板１２を置かない場合の光路である。また、図１（ａ）は斜視図を示し、同図（ｂ）は光ダクト内の光路をＸ軸方向から見た図、同図（ｃ）は光ダクト内の光路をＹ軸方向から見た図、同図（ｄ）は光ダクト内の光路をＺ軸方向から見た図である。
【０００８】
図１に示すように、光ダクトの斜め上方から入射し反射板１２で反射した光は、光ダクトの右側面Ｒ→上面Ｕ→左側面Ｌ→右側面Ｒと反射を繰り返し、光ダクトのＸ軸方向に進む。すなわち、上記反射板１２を置くことにより、点線で示す光路１’を実線で示す光路１のように変えることができる。
ここで、図２（ａ）に示すように上記反射材１２の反射面をＸ軸を中心に回転させると、光ダクトに対して入射角αで入射する光の反射光は、同図（ｂ）に示すように、点１４とＸ軸の成す角度がαの円錐面上を移動する。上記反射光をＹＺ平面に投影すると、反射光の方向は同図（ｃ）に示すように３６０度全周方向に変わり、反射面の回転角度に応じて、光ダクトに入射する平行光の反射方向を変えることができる（ここでは、光を異なった方向に分散させることを拡散すると呼ぶこととする）。
【０００９】
すなわち、Ｘ軸に直交する平面に現れる反射面の断面直線の傾き、もしくは、断面曲線の接線の傾きが光の反射点によって異なる反射面は、光ダクト内部で光を拡散する機能を有する。
例えば、図３（ａ）に示すように、Ｘ軸方向に平行で、Ｘ軸に直交する平面に現れる断面形状が曲線である反射材１５を光ダクト内に設置すると、同図（ｂ）に示すように、光１は反射材１５に接する平面１６で反射した場合と同じ光路となるため、平行光が入射した場合でも、その反射位置によって反射光の光路を異なる方向に変えることができ、図２で説明したように高い拡散効果を得ることができる。すなわち、この場合は、１枚の反射材１５が拡散装置２０としての機能を持つ。
【００１０】
図４は図３に示した断面形状が曲線である反射材１５による入射光の拡散の様子を示す図であり、実線（同図の１）は反射材１５を設けた場合の光路、点線（同図１’）は反射材１５を設けない場合の元の光路を示している。また、同図（ａ）は光ダクト内の光路をＸ軸方向から見た図、同図（ｂ）はＹ軸方向から見た図、同図（ｄ）はＺ軸方向から見た図である。
同図に示すように、光ダクトの斜め上方から平行光が入射すると（同図では、Ｙ軸方向に一列の平行光が入射した場合を仮定している）、半円形の反射材１５への入射位置に応じて、反射光の光路は異なった経路となり、光ダクト内の光の密度は均一化する。このため、前記図１４に示したように、ダクト内部の光密度に大きな濃淡が生ずることがない。
【００１１】
上記反射材１５は例えば後述する図６に示すように、相互の角度が鈍角をなす直線の集合からなる曲線に近似した形状であっても類似した効果を得ることができる。また、上記のような半円形状だけでなく、後述する図８に示すように、断面形状が曲線の集合、直線の集合であっても同様な効果を得ることができる。
上記構成の拡散装置を光ダクトの採光口側、終端側、もしくは適当な箇所に１もしくは複数に設けることにより、光ダクト内の光の密度を均一化することができ、室内の照度分布を均一化し、光の照射面に濃淡模様が生ずるといった問題を解消することができる。
【００１２】
本発明は上記点に着目してなされたものであって、自然光を照明に利用する光ダクト装置に使用され、光ダクト装置に取り入れた平行光を光ダクト内部で拡散させるための光ダクト用光拡散装置において、上記光拡散装置を、光ダクトの長手方向に平行で、光の入射位置に応じて、入射光を異なる方向に反射させる反射面を有する反射材から構成し、光ダクト内に入射した平行光を拡散し、光ダクト内の光の密度を均一化する。
すなわち、本発明は前記課題を次のようにして解決する。
（１）自然光を照明に利用する光ダクト装置に使用され、光ダクト装置に取り入れた平行光を光ダクト内部で拡散させるための光ダクト用光拡散装置において、上記光拡散装置を、光ダクトの長手方向に平行な反射面を有する反射材から構成し、光ダクトの奥行き方向に垂直な平面に現れる上記反射面の断面形状を、曲線、又は、隣接する線の角度が鈍角をなす直線と直線、直線と曲線、もしくは曲線と曲線の組み合わせからなる曲線に近似した形状とする。
また、本発明は次のように構成することもできる。
（２）上記光拡散装置を、光ダクトの長手方向に平行な反射面を有する反射材から構成し、光ダクトの奥行き方向に垂直な平面に現れる上記反射面の断面形状を、２以上の曲線の組み合わせとする。
（３）上記光拡散装置を、光ダクトの長手方向に平行な反射面を有する反射材から構成し、光ダクトの奥行き方向に垂直な平面に現れる上記反射面の断面形状を、離間した２以上の曲線の組み合わせとする。
【００１３】
【発明の実施の形態】
図５は本発明の実施例の拡散装置の構成例を示す図であり、同図は円弧状に形成された反射材を用いた拡散装置を示している。
図５（ａ）は本実施例で使用される半円形の反射材を示しており、２枚のアルミニウム鏡面材１７（例えば、ドイツ、アラノッド社製のアルミニウム鏡面材ミロ板厚さ０．５ｍｍ）を、同図に示すようにダクト底面の幅と同じ直径の半円に曲げ加工し、両面が鏡面になるようにエポキシ系の接着剤で張り合わせたものである。
以上のようにして形成した反射材を２組用意し〔同図（ｂ）（ｃ）の１５ａ，１５ｂ〕、それを背中合わせにして反射材１５ａ，１５ｂに設けた固定用穴１７ａを介してリベット止めすることにより、両者を固定し、図５（ｂ）に示すように組み立て、図５（ｃ）に示すように光ダクト内に設置する。
以上のように構成した拡散装置２１を光ダクト内に設置することにより、前記図３、図４に示したように光ダクトに入射する平行光を拡散し、光ダクト内の光の密度を均一化することができる。
【００１４】
図６は拡散装置の他の構成例を示す図である、同図は、多角形状に形成した反射材を用いた拡散装置を示している。
図６において、反射材１８は、前記したように２枚のアルミニウム材料を鏡面が外側になるように貼り合わせた反射材であり、反射材１８は、同図に示すようにその断面が、多角形状（相互の角度が鈍角をなす直線の集合からなる曲線に近似した形状）である。上記のような反射材１８を、前記図５に示したように背中合わせにしてリベット等で固定することにより、図５と同様な拡散装置を構成することができる。図６においては、隣接する線が直線と直線の組み合わせである例を示したが、隣接する線が直線と曲線、曲線と曲線の組み合わせてとしてもよい。
【００１５】
なお、上記反射材の断面形状は、必ずしも光ダクトの中心軸に対して点対象もしくは中心軸を通る直線に対して線対称にする必要はない。
例えば、光ダクトに対する光の入射方向が偏っている場合等には、線対称もしくは点対象でない断面形状の拡散装置を用いることにより、光を効率的に拡散することができる。
図７は、右上方の斜め方向から光が光ダクト４に入射する場合に好適な拡散装置２２の断面形状を示しており、同図は光ダクトをＸ軸方向から見た図を示している。光ダクト４の右上方から斜めに入射する場合には、同図に示すように、断面が１／４円状に形成された円弧状の２枚の反射材１９ａ，１９ｂを用い、２枚の反射材１９ａ，１９ｂの向きを同心円状に揃えて光ダクトの対角線方向に配置し、反射材１９ａ，１９ｂの反射面が光ダクト装置の長手方向に平行になるように、光ダクト４内に設置する。これにより、斜め右上方から入射する光を、効率的に拡散することができる。
【００１６】
図８は拡散装置の構成例を示す図であり、拡散装置は次にように構成することができる。
（１）図８（ａ）に示すように断面形状が半円の反射材を用い反射材の反射面が光ダクト装置の長手方向に平行になるように、光ダクト内に設置する（前記図３に示した構成と同じ）。
（２）図８（ｂ）に示すように断面形状が半円の反射材を背中合わせに接続し、反射材の反射面が光ダクト装置の長手方向に平行になるように、光ダクト内に設置する（前記図５に示した構成と同じ）。
（３）図８（ｃ）に示すように、断面が１／４円状に形成された円弧状の４枚の反射材を用い、断面が菱形に近似した形状となるように４枚の反射材の円弧の端部を接続する。そして、反射材の反射面が光ダクト装置の長手方向に平行になるように、光ダクト内に設置する。
【００１７】
（４）図８（ｄ）に示すように、反射材を円筒形状に形成し、反射材の反射面が光ダクト装置の長手方向に平行になるように、光ダクト内に設置する。
（５）図８（ｅ）に示すように、断面が１／４円状に形成された円弧状の２枚の反射材を用い、２枚の反射材の向きを同心円状に揃えて光ダクトの対角線方向に配置し、反射材の反射面が光ダクト装置の長手方向に平行になるように、光ダクト４内に設置する（前記図７を９０°回転させた形状）。
（６）図８（ｆ）に示すように、くの字状に折り曲げた反射材を両端部を接触させ、中間部分を離間させて複数枚重ね合わせ、反射材の反射面が光ダクト装置の長手方向に平行になるように、光ダクト４内に設置する。
（７）図８（ｇ）に示すように、断面が放物線の反射材を用い、反射材の反射面が光ダクト装置の長手方向に平行になるように、光ダクト内に設置する。
【００１８】
（８）図８（ｈ）に示すように、円筒形の第１の反射材の周囲に、板状の第２の反射材の一方端を取り付け、第２の反射材の他方端を光ダクトに取り付け、第１、第２の反射材の反射面が光ダクト装置の長手方向に平行になるように、光ダクト４内に設置する。
（９）図８（ｉ）に示すように、波型の反射材を光ダクトの対角線方向に配置し、反射材の反射面が光ダクト装置の長手方向に平行になるように、光ダクト４内に設置する。
（１０）図８（ｊ）に示すように、断面が半円形状に形成された２枚の反射材を離間させ、円弧の頂部を対向させて２枚の反射材を水平方向に配置し、反射材の反射面が光ダクト装置の長手方向に平行になるように光ダクト内に設置する。
【００１９】
（１１）図８（ｋ）に示すように、断面が略１／４円状に形成された円弧状の２枚の反射材を円弧の頂部を対向させて離間し、２枚の反射材を光ダクトの対角線方向に配置し、反射材の反射面が光ダクト装置の長手方向に平行になるように、光ダクト内に設置する。
（１２）図８（ｌ）に示すように、断面が半円形状に形成された２枚の反射材の端部を半円形の凸部が上側と下側になるように接続して反射面を形成し、反射材の反射面が光ダクト装置の長手方向に平行になるように、光ダクト内に設置する。
（１３）図８（ｍ）に示すように、断面が放物線状に形成された２枚の反射材の頂部を接続して、２枚の反射材を水平方向に配置し、反射材の反射面が光ダクト装置の長手方向に平行になるように、光ダクト内に設置する。
なお、上記図８（ａ）〜（ｍ）に示した拡散装置を光ダクトのＸ軸を中心に任意の角度回転させて使用してもよい。
【００２０】
拡散装置を上記のように構成することにより、前記図３、図４で説明した原理に基づき、光ダクトに入射した平行光を効果的に拡散することができる。
また、より高い拡散効果を必要とする場合には、図９に示すように異なる形状の拡散装置を組み合わせて複数使用してもよい。図９は前記図８（ｃ）に示した拡散装置２３と、前記図５に示した拡散装置２１を組み合わせた例を示しているが、その他前記した各種形状の拡散装置を適宜組み合わせることができる。
さらに、図８に示した各種拡散装置を図１０に示すように採光口２側とダクト終端側に設置する等、複数箇所に設置してもよい。拡散装置を光ダクト終端側に設けることにより終端で反射された光を再拡散し活用することができる。
【００２１】
なお、拡散装置のＸ方向の長さが長くなると光の反射回数が増え、減衰が大きくなるので拡散装置のＸ方向の長さは適切に設定する必要がある。
また、拡散装置の曲線の形状は、上記したように円弧もしくは円、放物線にする外、楕円曲線等のその他の曲線にしてもよい。さらに、図８に示した各種形状の拡散装置の断面を、前記図６に示したように隣接する線の角度が鈍角をなす直線と直線の組み合わせからなる曲線に近似した形状としてもよい。
【００２２】
【発明の効果】
以上説明したように、本発明においては、光ダクト装置内に、光を拡散させる拡散装置を設けたので、光ダクト内の光の密度を均一化することができ、室内の照度分布を均一化することができ、また、光の照射面に濃淡模様が生ずるといった問題を解消することができる。
【図面の簡単な説明】
【図１】光路の途中に反射材を挿入した場合の光路の変化を示す図である。
【図２】光路の途中に設けた反射材を回転したときの光路の変化を示す図である。
【図３】曲面を持った反射材を用いた拡散装置の構成例を示す図である。
【図４】反射材による入射光の拡散の様子を示す図である。
【図５】本発明の実施例の拡散装置の構成例を示す図である。
【図６】直線で近似した曲面を持つ反射材の構成例を示す図である。
【図７】右上方の斜め方向から光が光ダクトに入射する場合に好適な拡散装置の断面形状例を示す図である。
【図８】拡散装置の断面形状の構成例を示す図である。
【図９】異なる形状の拡散装置を組み合わせて複数使用した場合を示す図である。
【図１０】拡散装置を光ダクト内における拡散装置の設置位置例を示す図である。
【図１１】水平ダクト型光ダクト装置の概念図である。
【図１２】垂直ダクト型光ダクト装置の概念図である。
【図１３】光ダクトに入射した光の光路例を示す図である。
【図１４】ダクト内に平行光が入射した場合に発生する光の密度差を説明する図である。
【図１５】拡散フイルムを使用した拡散装置の構成例を示す図である。
【符号の説明】
１                      自然光（太陽光）
２                      採光口
３                      反射材
４                      ダクト
５                      ビル壁面
６                      室内
７                      ガラスカバー
８                      放光口
９                      屋上または地上
１０                    フィルム
１２                    反射板
１５                    反射材
１７                    鏡面材
１８                    反射材
１９ａ，１９ｂ          反射材
２０，２１，２２，２３  拡散装置
【図１】
0004148574.tif 000002
【図２】
0004148574.tif 000003
【図３】
0004148574.tif 000004
【図４】
0004148574.tif 000005
【図５】
0004148574.tif 000006
【図６】
0004148574.tif 000007
【図７】
0004148574.tif 000008
【図８】
0004148574.tif 000009
【図９】
0004148574.tif 000010
【図１０】
0004148574.tif 000011
【図１１】
0004148574.tif 000012
【図１２】
0004148574.tif 000013
【図１３】
0004148574.tif 000014
【図１４】
0004148574.tif 000015
【図１５】
0004148574.tif 000016